(57)【特許請求の範囲】
【請求項１】
クライアント装置と、サーバ装置と、課金装置と、複合機がネットワークを介して接続された課金システムであって、
前記サーバ装置は、
プリント指示入力またはコピー指示入力を受け付ける受付手段と、
前記受付手段によってプリント指示入力を受け付けたときには、前記プリント指示入力に基づいて前記複合機に文書をプリント出力させるとともにプリント出力に応じた課金情報を作成し、前記受付手段によってコピー指示入力を受け付けたときには、前記コピー指示入力に基づいて前記複合機にコピー許可信号を送信するとともに前記複合機から受信したコピー動作に関する信号に基づいてコピー出力に応じた課金情報を作成する情報処理手段を備え、
前記課金装置は、
料金情報を取得する料金情報取得手段と、
前記サーバ装置および複合機と通信して指示および情報の送受信を行なう通信手段と、
前記通信手段によって前記サーバ装置から受信した前記課金情報に基づいて課金処理を行なう課金処理手段と、
前記サーバ装置から受信した前記コピー許可信号をパラレル信号からシリアル信号に変換するとともに前記複合機から受信したコピー動作に関する信号をシリアル信号からパラレル信号に変換する変換手段を備え、
前記課金装置は、
前記料金情報取得手段によって取得した料金情報を前記サーバ装置に送信し、これに応答して前記サーバ装置から送信された前記コピー許可信号を前記変換手段によってパラレル信号からシリアル信号に変換して前記複合機に送信するとともに、前記複合機から送信されたコピー動作に関する信号を前記変換手段によってシリアル信号からパラレル信号に変換して前記サーバ装置に送信し、これに応答して前記サーバ装置から送信された前記課金情報に基づいて課金処理を行なう
ことを特徴とする課金システム。
【請求項２】
前記コピー動作に関する信号が前記複合機の給紙および排紙のカウンタ情報であることを特徴とする請求項１に記載した課金システム。
【請求項３】
前記コピー指示入力が外部装置から送信されたコピー指示信号であることを特徴とする請求項１または２に記載した課金システム。
【請求項４】
料金情報を取得する料金情報取得手段と、
ネットワークを介して接続されたサーバ装置および複合機と通信して指示および情報の送受信を行なう通信手段と、
前記通信手段によって前記サーバ装置から受信した課金情報に基づいて課金処理を行なう課金処理手段と、
前記サーバ装置から受信したパラレル信号をシリアル信号に変換するとともに前記複合機から受信したシリアル信号をパラレル信号に変換する変換手段
を備えた課金装置であって、
前記料金情報取得手段によって取得した料金情報を前記サーバ装置に送信し、これに応答して前記サーバ装置から送信されたコピー許可信号を前記変換手段によってパラレル信号からシリアル信号に変換して前記複合機に送信するとともに、前記複合機から送信されたコピー動作に関する信号を前記変換手段によってシリアル信号からパラレル信号に変換して前記サーバ装置に送信し、これに応答して前記サーバ装置から送信された前記課金情報に基づいて課金処理を行なう
ことを特徴とする課金装置。
【請求項５】
前記コピー動作に関する信号が前記複合機の給紙および排紙のカウンタ情報であることを特徴とする請求項４に記載した課金装置。
【発明の詳細な説明】
【技術分野】
【０００１】
この発明は、課金システムおよび課金装置に関し、特に、利用者の指示に基づいて複合機から出力したプリント出力およびコピー出力に対して利用者に課金する課金システムに関する。
【背景技術】
【０００２】
近年、コピー機やプリンタのようなＯＡ機器、あるいは、ネットワークの進化に伴い、さまざまな環境での文書印刷が可能となってきている。例えば、あらかじめ利用者がクライアント装置からネットワークを介して接続されたサーバ装置に印刷データを蓄積しておき、クライアント装置から遠隔にある印刷装置から印刷するようなことが可能である。
【０００３】
特許文献１に記載された印刷課金システムでは、クライアント装置、印刷装置、プリントサーバ装置、印刷課金装置がネットワークを介して接続され、利用者はあらかじめクライアント装置から印刷ジョブをプリントサーバ装置に蓄積しておく。その後、印刷要求する場合には、利用者は印刷課金装置の表示画面から指示を出すと、あらかじめプリントサーバ装置に蓄積されていたその利用者の印刷ジョブが印刷課金装置に送信されて印刷課金装置の画面上に一覧表示され、その中から利用者が選択した印刷ジョブを実行する。そしてそのときの印刷ログに基づいて利用者にサービス利用に対する課金を行なうようにしている。
【０００４】
【特許文献１】特開２００３−３４５５５８
【発明の開示】
【発明が解決しようとする課題】
【０００５】
しかしながら、特許文献１に記載された印刷課金システムでは、印刷、課金の対象はプリンタによる印刷だけで、プリント機能のほかにコピー機能も備えたいわゆる複合機には対応していなかった。
【０００６】
以上の不具合を解決するために、本発明は、プリント機能とコピー機能を備えた複合機（ＭＦＰ、Ｍｕｌｔｉ−Ｆｕｎｃｔｉｏｎａｌ  Ｐｅｒｉｐｈｅｒａｌ）を用いてプリントまたはコピーしたときに、プリントおよびコピーの結果に応じて適切に課金ができる課金システムを提供することを目的とする。
【課題を解決するための手段】
【０００７】
上記課題を解決するために、本発明の課金システムは、
クライアント装置と、サーバ装置と、課金装置と、複合機がネットワークを介して接続された課金システムであって、
前記サーバ装置は、
プリント指示入力またはコピー指示入力を受け付ける受付手段と、
前記受付手段によってプリント指示入力を受け付けたときには、前記プリント指示入力に基づいて前記複合機に文書をプリント出力させるとともにプリント出力に応じた課金情報を作成し、前記受付手段によってコピー指示入力を受け付けたときには、前記コピー指示入力に基づいて前記複合機にコピー許可信号を送信するとともに前記複合機から受信したコピー動作に関する信号に基づいてコピー出力に応じた課金情報を作成する情報処理手段を備え、
前記課金装置は、
料金情報を取得する料金情報取得手段と、
前記サーバ装置および複合機と通信して指示および情報の送受信を行なう通信手段と、
前記通信手段によって前記サーバ装置から受信した前記課金情報に基づいて課金処理を行なう課金処理手段と、
前記サーバ装置から受信した前記コピー許可信号をパラレル信号からシリアル信号に変換するとともに前記複合機から受信したコピー動作に関する信号をシリアル信号からパラレル信号に変換する変換手段を備え、
前記課金装置は、
前記料金情報取得手段によって取得した料金情報を前記サーバ装置に送信し、これに応答して前記サーバ装置から送信された前記コピー許可信号を前記変換手段によってパラレル信号からシリアル信号に変換して前記複合機に送信するとともに、前記複合機から送信されたコピー動作に関する信号を前記変換手段によってシリアル信号からパラレル信号に変換して前記サーバ装置に送信し、これに応答して前記サーバ装置から送信された前記課金情報に基づいて課金処理を行なう
ことを特徴とする。
【発明の効果】
【００１３】
本発明では、プリント機能とコピー機能を備えた複合機に対して、プリントおよびコピーの結果に応じて利用者に適切に課金できる。
【発明を実施するための最良の形態】
【００１４】
以下、この発明を実施するための最良の形態について、図面を参照して詳細に説明する。
【００１５】
図１は、本発明の一実施形態に係る課金システムの全体構成を示す図であって、１はネットワーク、２はクライアント装置、３はサーバ装置、４は課金装置、５は複合機である。
【００１６】
本システムにおいて、クライアント装置２、サーバ装置３、課金装置４、複合機５は、ネットワーク１を介して互いに接続され、互いに通信して情報や命令のやり取りができるように構成されている。そして、クライアント装置２からプリント指示されたプリントデータは、一旦サーバ装置３に蓄積され、利用者は課金装置４から料金を支払うことによって、複合機５からプリント出力を得ることができる。一方、利用者がコピーを取りたいときには、同様に課金装置４から料金を支払うことによって、複合機５のコピー機能を利用することができる。なおネットワーク１には、通常複数のクライアント装置２が接続されているが、本実施形態においては説明を簡単にするために、１台のみが接続されているものとして説明する。
【００１７】
複合機５は一般的なプリンタのプリント機能と一般的なコピー機のコピー機能の両方を備えているが、本実施形態の説明において、プリントを指す場合には「プリント」と、またコピーを指す場合には「コピー」のように、明確に区別して表記する。また、「印刷」と表記した場合には、プリントとコピーの両方を指すものとする。
【００１８】
図２に、本実施形態の課金システムの要部ブロック図を示す。
【００１９】
図２において、クライアント装置２は、例えばパーソナルコンピュータのような情報処理装置であって、入力手段２１、文書作成手段２２、情報合成手段２３、通信手段２４を備えている。利用者はクライアント装置２の入力手段２１から利用者情報を入力することによって、利用者認証されて装置が利用できるようになるとともに、利用者はこのクライアント装置２からプリントしたい情報を指定してサーバ装置３に送信する。
【００２０】
入力手段２１は、利用者からの指示や情報を受け付ける。具体的には、入力手段２１は、ＩＣカードリーダや、キーボード、マウス等を備えており、利用者が所持しているＩＣカードを読み取り、ＩＣカードに記憶されている情報（利用者ＩＤやカードにチャージされている料金の残高等）を読み込むことができる。利用者ＩＤやパスワード、その他の指示等をキーボードやマウスを用いて受け付けるようにしてもよい。文書作成手段２２は、プリントすべき文書を作成する。文書はこのクライアント装置２自身にインストールされた文書作成ソフト等を用いて作成してもよいし、ＵＳＢメモリ等の外部記憶媒体から取り込んだものであってもよい。あるいは、ネットワーク経由で外部装置から取得することもできる。ここで「文書」とは、プリントしたい情報を総称しており、文字情報だけでなく、図面その他の情報も含むものである。情報合成手段２３は、入力手段２１から入力された利用者ＩＤと文書作成手段２２によって作成した文書とを対応付け、利用者ＩＤ情報付き文書を作成する。通信手段２４は、サーバ装置３や複合機５と指示や情報のやり取りをするものであって、利用者の指示に基づいて情報合成手段２３で作成した利用者ＩＤ情報付き文書をサーバ装置３へ送信する。情報合成手段２３による情報合成や通信手段２４による通信は、いずれもソフトウェアによって実現できる。
【００２１】
サーバ装置３は、入力手段３１、記憶手段３２、表示手段３３、通信手段３４、プリント課金アプリケーション３５、コピー課金アプリケーション３６を備えている。利用者がプリントを利用する場合には、サーバ装置３はクライアント装置２から利用者ＩＤ情報付き文書を受け付ける。この受信した文書に対し、サーバ装置３はその文書に固有の文書ＩＤを付与するとともに、その文書ＩＤをクライアント装置２に返送する。利用者が複数の文書のプリントを指示し、複数の文書を受信した場合には、その文書ごとに文書ＩＤを付与してクライアント装置２に返送するようにする。そして、サーバ装置３に利用者からの指示があった場合には、文書をプリントするのに必要な料金とともに表示手段３３に表示する。その後利用者が入力手段３１によって実際にプリント指示を出した場合には、複合機５にプリントさせるとともに、プリント課金アプリケーション３６の機能により課金制御を行なう。一方、利用者がコピーを利用する場合には、サーバ装置３はコピー課金アプリケーション３７の機能により、複合機５から必要な情報を受け取ってその情報に基づいた課金制御を行なう。
【００２２】
入力手段３１は、タッチパネルやキーボード等によって構成される。利用者はこの入力手段３１から、プリント課金アプリケーション３５やコピー課金アプリケーション３６に対して文書の印刷や料金表示などの指示を出すことができる。入力手段３１を、外部装置から送信されたプリント指示信号やコピー指示信号を受け付ける手段として構成することもできる。記憶手段３２はハードディスク等で構成され、クライアント装置２から送信された利用者ＩＤ情報付き文書情報を記憶保持する。表示手段３３は、印刷文書名やその料金情報など、必要な情報を表示する。本実施形態においては表示手段３３はタッチパネルで構成され、以下の説明では入力手段３１も兼ねているものとして説明する。通信手段３４は、クライアント装置２や課金装置４、あるいは複合機５と、情報や命令のやり取りを行なうものである。
【００２３】
プリント課金アプリケーション３５やコピー課金アプリケーション３６は、このシステムを利用して行なうプリントやコピーに対して、課金処理を主とした情報処理を行なう。具体的には、利用者が入力手段３１のコピー／プリント選択ＵＩ（Ｕｓｅｒ  Ｉｎｔｅｒｆａｃｅ）からプリントを選択して、利用者ＩＤと文書ＩＤを入力してプリント要求を指示すると、プリント課金アプリケーション３５は、入力された利用者ＩＤ、文書ＩＤと、記憶手段３２が保持している文書に付与された利用者ＩＤ、文書ＩＤを照合する。そして、それらのＩＤが一致したものに対して文書の解析を行なって、その文書をプリントするために必要な料金を表示手段３３に表示する。文書の解析は、プリント要求された文書の属性情報を解析し、その文書がカラーかモノクロか、あるいはそのサイズやページ数などによって、記憶手段３２に記憶された料金データテーブルを参照することによって行なう。料金データテーブルを後述する課金装置４に記憶しておき、サーバ装置３が課金装置４から料金データテーブルの内容を取得して行なうようにしてもよい。算出されたプリントに必要な料金は、文書名あるいは文書ＩＤとともに表示手段３３に表示される。利用者が複数の文書のプリント指示をした場合には、以上のＩＤ情報の照合や文書解析、料金計算等は、すべての文書に対して行ない、結果は表示手段３３に一覧表示される。
【００２４】
一方、入力手段３１のコピー／プリント選択ＵＩから利用者がコピー要求を指示した場合には、コピー課金アプリケーション３６が起動する。コピー課金アプリケーション３６は、後述する課金装置４から送信されたＩＣカードの残高情報に基づいて複合機５に対してコピー許可の指示（信号）を出す。プリント課金アプリケーション３５、コピー課金アプリケーション３６による情報処理は、いずれもソフトウェアによって実現できる。
【００２５】
課金装置４は、入力手段４１、通信手段４２、課金処理手段４３、変換手段４４を備えている。入力手段４１はＩＣカードリーダで構成され、利用者がＩＣカードを読み込ませることにより、課金装置４は利用者ＩＤやカードが保持している料金の残高情報などを取得できるようになっている。通信手段４２は、入力手段４１から取得したＩＣカードのＩＤ情報と残高情報をサーバ装置３に送信するとともに、サーバ装置３のプリント課金アプリケーション３５およびコピー課金アプリケーション３６と交信して、サーバ装置３から利用者が利用した印刷サービスに関する課金情報を受け取る。課金処理手段４３は、サーバ装置３から受け取った課金情報をもとに、課金処理を行なう。具体的には、ＩＣカードにあらかじめチャージされている料金から利用したサービスに応じた料金を引き落とす。料金ではなくポイント制などにしてもかまわないし、あるいは、利用したサービスに応じた料金情報ＩＣカードに加算していって、あとで精算するといった方式でもかまわない。また課金装置４は、サーバ装置３から複合機５にコピー許可信号を送信する際や、複合機５からサーバ装置３へコピー動作に関する情報（例えば複合機５における給紙カウンタや排紙カウンタの情報）を送信する際の、中継器としても機能する。これは、複合機５の出入力信号のシリアル信号とサーバ装置３の出入力信号のパラレル信号を相互に変換するためであり、課金装置４に信号をシリアル／パラレル変換するための変換手段４４を持たせ、複合機５のシリアル信号とサーバ装置３のパラレル信号とを互いに変換して受け渡すようにしている。
【００２６】
複合機５は、本実施形態においては、コピー機能、プリント機能等を備えたいわゆる一般的な複合機である。複合機５は、通信手段５１と出力手段５２を備えている。利用者がプリントサービスを利用する場合には、複合機５は通信手段５１によってサーバ装置３からプリントすべき文書データを受け取り、プリント出力を行なう。一方、利用者がコピーサービスを利用する場合には、課金装置４を介してサーバ装置３と必要な情報のやり取りを行なって、コピー出力を行なう。複合機５によるプリント処理やコピー処理については既知の方法で実現できるので、ここでは説明しない。また複合機５が実際にコピーやプリントを行うと通信手段５１を介してプリント出力やコピー出力に関する情報をサーバ装置３や課金装置４が取得できるように構成している。サーバ装置３は、この情報に基づいて上で説明したような課金情報の生成を行なって課金装置４に送信し、課金装置４は課金処理を行なう。
【００２７】
次に図３を用いて、プリント課金アプリケーション３５およびコピー課金アプリケーション３６の詳細を説明する。
【００２８】
図３はプリント課金アプリケーション３５およびコピー課金アプリケーション３６による課金処理機能のフローチャートである。
【００２９】
利用者が課金装置４のＩＣカードリーダ４１にＩＣカードを投入し、サーバ装置３のタッチパネル３１からプリント指示した場合には、プリント課金アプリケーション３５が起動し、プリント課金アプリケーション３５はＩＣカードにあらかじめチャージされている料金の残高を取得する（Ｓ１）。利用者が所望の文書を複合機５からプリント出力すると、複合機５のカウンタ情報がネットワーク１を経由してプリント課金アプリケーション３５に取り込まれる（Ｓ２）。プリントを終了すると、プリント課金アプリケーション３５は課金装置４に課金情報を送り、料金引き落としの指示を出す（Ｓ３）。そして、プリント課金アプリケーション３５は課金装置４に対してＩＣカードの返却指示を出し（Ｓ４）処理を終了する。
【００３０】
一方、利用者が課金装置４のＩＣカードリーダ４１にＩＣカードを投入し、サーバ装置３のタッチパネル３１からコピー指示した場合には、コピー課金アプリケーション３６が起動し、コピー課金アプリケーション３６はＩＣカードにあらかじめチャージされている料金の残高を取得する（Ｓ１１）。コピー課金アプリケーション３６は取得した残高をチェックしたうえで複合機５に対してコピー許可の指示を出し（Ｓ１２）、利用者は複合機５のコピー機能が利用可能となる。利用者がコピーを実行すると、その都度複合機５から給紙カウンタ情報と排紙カウンタ情報がコピー課金アプリケーション３６によって取得される（Ｓ１３、Ｓ１４）。コピー課金アプリケーション３６が複合機５の給紙カウンタ情報を取得するのは、給紙される都度にＩＣカードの料金残高が足りているかをチェックするためであり、残高がなくなるとコピー課金アプリケーション３６は複合機５に対してコピー不許可の指示を出し（Ｓ１７）、利用者はコピーができなくなる。また、コピー課金アプリケーション３６が複合機５の排紙カウンタ情報を取得するのは、実際にコピーが成功したかどうかをチェックするためであり、コピーが成功した場合にはコピー課金アプリケーションは課金装置４に対して課金情報を送るとともに、課金処理を指示する（Ｓ１５）。給紙カウンタがカウントアップしたにも拘らず排紙カウンタがカウントアップしなかった場合には、複合機５のトラブルでコピーができなかったためと考えられるため、コピー課金アプリケーション３６は複合機５にコピー不許可の指示を出す（Ｓ１７）。また、利用者が必要なコピーを完了した場合には、利用者は課金装置４からコピー終了の指示を出し（Ｓ１６）、この場合にもコピー課金アプリケーション３６は複合機５に対してコピー不許可の指示を出す（Ｓ１７）。利用者によるコピー完了の指示は、課金装置４からではなく、サーバ装置３に直接指示入力してもよい。その場合にはコピー課金アプリケーション３６はその指示を直接受け取ることになる。その後はプリント課金アプリケーション３５の機能と同様に、課金装置４に対してＩＣカードの返却指示を出して（Ｓ１８）処理を終了する。
【００３１】
なお、サーバ装置３から複合機５に送られるコピー許可信号やコピー不許可信号、あるいは複合機５からサーバ装置３に送られる給紙カウンタ信号、排紙カウンタ信号は、課金装置４経由で送信され、課金装置４の変換手段４４によってシリアル／パラレル変換またはパラレル／シリアル変換されて相手方の装置に送信される。
【００３２】
以上の構成において、次に本システムの実際の利用の形態を説明する。
【００３３】
図４は、本システムを用いてプリント出力する場合の利用の形態を示すフローチャートである。
【００３４】
本システムの利用者は、最初にシステムの管理者からＩＣカードの貸与を受ける。システムの管理者とは、例えばホテルのフロント担当者などである。ＩＣカードには、あらかじめカードＩＤ（利用者ＩＤ）が登録されているとともに、利用者がシステムの管理者に必要な料金を支払うことによって、本システムを利用するための料金がチャージされている。利用者はこのカードを携帯して、クライアント装置２のところに移動する。クライアント装置２は、例えばホテルのロビーに設置されている。そして、利用者はクライアント装置２にＩＣカードを読み込ませることによって、利用者の認証がなされ、システムの利用が可能となる。このようにしてクライアント装置２は、ＩＣカードのカードＩＤを取得する（図４のＳ１０１）。続いて利用者は、クライアント装置２を利用してプリントしたい文書を作成する（Ｓ１０２）。文書はこのクライアント装置２で直接作成してもよいし、例えばあらかじめＵＳＢメモリ等の記憶媒体に記憶させたものを読み出すようにしてもよいし、あるいはネットワーク経由で入手する等の方法によってもかまわない。次に利用者がプリントしたい文書のプリント指示を出すと、そのデータはサーバ装置３に送信される。このときクライアント装置２は、あらかじめ取得したカードＩＤをプリントデータに付与（Ｓ１０３）した上でサーバ装置３に送信する。送信するデータは、１つであっても複数であってもかまわない。プリントデータを受信したサーバ装置３は、受信したプリントデータに対して文書ごとに文書ＩＤを付与（Ｓ１０４）した上で記憶手段３２に保存する（Ｓ１０５）。すなわち、クライアント装置２が複数の文書を送信した場合には、各々の文書に固有の文書ＩＤが付与され、文書とカードＩＤと文書ＩＤが対応付けられてサーバ装置３の記憶手段３２に保持される。一方でサーバ装置３は各文書ごとに文書ＩＤをクライアント装置２に返送する。クライアント装置２側では、サーバ装置３から受け取った文書ＩＤを、例えばクライアント装置２の表示画面にポップアップ表示させることにより、利用者に通知する（Ｓ１０６）。文書をプリントしたいシステムの利用者は、この文書ＩＤを書き留めるなどしてサーバ装置３および課金装置４が設置されている場所に移動する。
【００３５】
次に利用者は課金装置４の前に移動し、課金装置４にＩＣカードを投入する。すると、課金装置４からカードＩＤとカードにチャージされている料金の残高情報が読み込まれ（Ｓ１０７）、それらの情報がサーバ装置３に送信される。残高情報を受信したサーバ装置３のプリント課金アプリケーション３５は、料金残高が所定のプリント出力を実行するに足るかどうかをチェックしたうえで、複合機５によるプリントを許可する。
【００３６】
次に利用者は、サーバ装置３のタッチパネル３１から、文書ＩＤと利用者ＩＤの入力を行なう（Ｓ１０８）。このときの画面イメージを、図５（ａ）に示す。利用者は例えば文書ＩＤ「Ａ０００」、利用者ＩＤ「ＡＡＡ」を入力する。プリントしたい文書が複数ある場合には、図５（ａ）において「次文書」のボタンを押下すると、次画面で再び図５（ａ）のような画面が表示され、順次プリントしたい文書が入力できるようになっている。すべての文書を指定し終えＯＫボタンを押すと、プリント課金アプリケーション３５は、利用者ＩＤ、文書ＩＤとあらかじめ記憶手段３２に記憶している文書の利用者ＩＤ、文書ＩＤをそれぞれ照合し（Ｓ１０９）、表示画面３３に図５（ｂ）のように表示する（Ｓ１１１）。表示するに際しては、プリント課金アプリケーション３５は、プリントの対象となる文書を解析してプリント料金を計算し（Ｓ１１０）、指定したすべての文書名とそれらをプリントした場合に必要となる料金をあわせて一覧表示する。指定した各文書についての料金計算の仕方は、先に説明したとおりである。利用者は図５（ｂ）において料金の残高の範囲内で文書を指定してＯＫボタンを押すと（Ｓ１１２）、サーバ装置３から複合機５に文書データが送信され、これらの文書がプリント出力される（Ｓ１１３）。図５（ｂ）では、文書１と文書２にチェックを入れ、これらの文書が指定された様子を示している。また、料金情報はサーバ装置３から課金装置４に送信され、課金装置４でＩＣカードの料金残高から必要な料金を引き落とす（Ｓ１１４）。
【００３７】
上で説明した例では、クライアント装置２からサーバ装置３に文書を送信したときにサーバ装置３から返送される文書ＩＤを利用者にあらかじめ書き留めさせ、利用者自身にサーバ装置３に入力させるようにしているが、文書ＩＤを用いずに利用者ＩＤのみで管理することも可能である。次にその形態について説明する。
【００３８】
図６は、本システムを用いてプリント出力する場合の他の利用の形態を示すフローチャートである。図６においてＳ２０５までは図４に示したＳ１０５までと同様なので、説明を省略する。
【００３９】
図６に示した例では、図４の例とは異なり、サーバ装置３はクライアント装置２からプリントすべき文書を受け付け文書ＩＤを付与したとき（Ｓ２０４）に、文書ＩＤをクライアント装置２に対して返送しない。この場合には、サーバ装置３にプリントする文書を保持させた段階（Ｓ２０５）で、利用者は課金装置４にＩＣカードを投入する（Ｓ２０７）。すると、課金装置４はＩＣカードから利用者ＩＤとカードにチャージされている料金の残高情報が読み込まれ、それらの情報がサーバ装置３に送信される。サーバ装置３は課金装置４から送信された利用者ＩＤと同じ利用者ＩＤが付与されている文書を記憶手段３２に記憶された文書の中から照合、抽出し（Ｓ２０９）、文書解析、料金計算をしたうえで（Ｓ２１０）、図５（ｂ）のような形で表示画面３３に表示する。この中から利用者は料金の残高の範囲内で文書を指定しＯＫボタンを押すと、複合機５から該当する文書がプリント出力される。Ｓ２１１以降は、図４のＳ１１１以降と同様である。
【００４０】
またさらに他の実施形態として、課金装置４から送信された利用者ＩＤとタッチパネル３１から入力された文書ＩＤを、記憶手段３２に記憶された文書に対応付けられている利用者ＩＤ、文書ＩＤと照合して、図５（ｂ）のように表示させると  いった方法でもよい。
【００４１】
ところで、サーバ装置３に保持されたデータは、利用者から消去の指示があるかもしくは所定時間が経過するまで保持し続けるようにしてもよいし、プリントが完了した時点で消去するようにしてもよい。また、利用者がサーバ装置３に送信しただけでプリント指示されなかったデータについても同様に、利用者が消去支持をするか所定時間経過後に消去されるようにすればよい。
【００４２】
以上のようにしてプリント出力を終えると、利用者は課金装置４からＩＣカードを取り出し、システムの管理者に返却する。そして、システムの管理者はＩＣカードをチェックして精算処理を行なう。
【００４３】
ところで、本実施形態においては、利用者はクライアント装置２を用いてプリントする文書の作成を行なうようにしているが、例えば近年モバイルＰＣ（Ｐｅｒｓｏｎａｌ  Ｃｏｍｐｕｔｅｒ）を携帯するのが当たり前の時代になり、利用者は自分のＰＣを使って文書を作成したい場合も考えられる。そのようなケースに対応するためには、Ｗｅｂサーバで中継させるようにすればよい。すなわち、利用者は利用者自身のＰＣからＷｅｂサーバに文書を送信しておき、サーバ装置３はプリント指示に応じてＷｅｂサーバから必要な文書を取り出すようにすればよい。
【００４４】
以上プリント出力する場合を説明したが、次にコピー出力する場合の利用の形態を説明する。
【００４５】
図７は、本システムを用いてコピー出力する場合の利用の形態を示すフローチャートである。
【００４６】
コピー出力する場合もプリント出力する場合と同様に、利用者はシステムの管理者から利用料金がチャージされたＩＣカードの貸与を受け、課金装置４のＩＣカードリーダ４１に投入する（Ｓ３０１）。すると、先に図３を用いて説明した手順により、サーバ装置３はＩＣカードのカードＩＤを認証し、カードにチャージされている料金の残高をチェック（Ｓ３０２）したうえで複合機５にコピー許可の指示を出し（Ｓ３０３）、コピー機能が利用可能になる。続いて利用者がコピーサービスを利用すると（Ｓ３０４）、サーバ装置３はコピー動作の都度に、複合機５から課金装置４経由で給紙カウンタ情報を取得し、この情報に基づいてカードの料金残高チェックを行なう（Ｓ３０５）。また、サーバ装置３はコピー動作の都度に、複合機５から課金装置４経由で排紙カウンタ情報を取得し、この情報に基づいて課金装置に対して料金引き落としの指示を行なう（Ｓ３０５）。課金装置４は、サーバ装置３から料金引き落としの指示を受けると、ＩＣカードに対して課金処理を行なう（Ｓ３０６）。以上のようにしてコピーを終了し（Ｓ３０７）、利用者は課金装置４からＩＣカードを取り出し（Ｓ３０８）、システム管理者にカードを返却する。
【００４７】
以上のようにして、本実施形態の課金システムによれば、プリント機能とコピー機能を備えた複合機に対して、プリントおよびコピーの結果に応じて利用者に適切に課金できる。特に、課金装置４に変換手段４４を持たせることによって、１台の課金装置でプリント出力に対する課金もコピー出力に対する課金も行なえるようにしたので、有効である。
【図面の簡単な説明】
【００４８】
【図１】本実施形態に係る課金システムの全体構成である。
【図２】本実施形態に係る課金システムの要部のブロック図である。
【図３】本実施形態におけるプリント課金アプリケーションおよびコピー課金アプリケーションによる課金処理機能のフローチャートである。
【図４】本実施形態の課金システムを用いてプリント出力する場合の利用の形態を示すフローチャートである。
【図５】本実施形態におけるサーバ装置の表示画面例であって、（ａ）は利用者が文書ＩＤと利用者ＩＤを入力する画面の例であり、（ｂ）はプリントする文書を必要な料金とともに表示した画面の例である。
【図６】本実施形態の課金システムを用いてプリント出力する場合の他の利用形態を示すフローチャートである。
【図７】本実施形態の課金システムを用いてコピー出力する場合の利用の形態を示すフローチャートである。
【符号の説明】
【００４９】
１      ネットワーク
２      クライアント装置
３      サーバ装置
４      課金装置
５      複合機
２１    入力手段
２２    文書作成手段
２３    情報合成手段
２４    通信手段
３１    入力手段
３２    記憶手段
３３    表示手段
３４    通信手段
３５    プリント課金アプリケーション
３６    コピー課金アプリケーション
４１    入力手段
４２    通信手段
４３    課金処理手段
４４    変換手段
５１    通信手段
５２    出力手段
【図１】
0004995114.tif 000002
【図２】
0004995114.tif 000003
【図３】
0004995114.tif 000004
【図４】
0004995114.tif 000005
【図５】
0004995114.tif 000006
【図６】
0004995114.tif 000007
【図７】
0004995114.tif 000008